(57)【特許請求の範囲】
【請求項１】
発光色の異なる複数種の発光ダイオード（ＬＥＤ）を備え、これらのＬＥＤからの混合色光を放射する少なくとも一つの発光モジュールと、
上記の少なくとも一つの発光モジュールからの光を配光させるレンズを備えたレンズユニットと、
上記の少なくとも一つの発光モジュールの各ＬＥＤに流す電流を制御する光出力コントローラとを備えたＬＥＤ照明器具であって、
上記の少なくとも一つの発光モジュールから放射される混合色光を検出する器具光センサーを有し、
上記レンズユニットは、上記レンズから上記の混合色光を上記器具光センサーへガイドするための光ガイドを一体に備え、
上記器具光センサーは、検出された混合色から上記の複数種のＬＥＤの発光色に対応する特定色光の光レベルを取り出すように構成され、
上記光出力コントローラは、上記器具光センサーからの特定色光の光出力レベルに基づいて、上記の少なくとも一つの発光モジュールからの混合色が所望の色度となるように、各ＬＥＤへの電流をフィードバック制御するように構成され、
複数の発光モジュールがそれぞれ対応するレンズと上記の器具光センサーとの間の距離が異なる位置に配置され、各レンズから器具光センサーに至る光路長が長い光ガイドの断面積が、光路長の短い光ガイドよりも大きいことを特徴とするＬＥＤ照明器具。
【請求項２】
発光色の異なる複数種の発光ダイオード（ＬＥＤ）を備え、これらのＬＥＤからの混合色光を放射する少なくとも一つの発光モジュールと、
上記の少なくとも一つの発光モジュールからの光を配光させるレンズを備えたレンズユニットと、
上記の少なくとも一つの発光モジュールの各ＬＥＤに流す電流を制御する光出力コントローラとを備えたＬＥＤ照明器具であって、
上記の少なくとも一つの発光モジュールから放射される混合色光を検出する器具光センサーを有し、
上記レンズユニットは、上記レンズから上記の混合色光を上記器具光センサーへガイドするための光ガイドを一体に備え、
上記器具光センサーは、検出された混合色から上記の複数種のＬＥＤの発光色に対応する特定色光の光レベルを取り出すように構成され、
上記光出力コントローラは、上記器具光センサーからの特定色光の光出力レベルに基づいて、上記の少なくとも一つの発光モジュールからの混合色が所望の色度となるように、各ＬＥＤへの電流をフィードバック制御するように構成され、
上記の少なくとも一つの発光モジュールが回路基板上に実装され、上記回路基板が器具本体の前面に支持され、上記光ガイドは上記回路基板を貫通して、器具本体の背面側に延出し、器具本体の背面側に配置された上記器具光センサーに結合されたことを特徴とするＬＥＤ照明器具。
【請求項３】
発光色の異なる複数種の発光ダイオード（ＬＥＤ）を備え、これらのＬＥＤからの混合色光を放射する少なくとも一つの発光モジュールと、
上記の少なくとも一つの発光モジュールからの光を配光させるレンズを備えたレンズユニットと、
上記の少なくとも一つの発光モジュールの各ＬＥＤに流す電流を制御する光出力コントローラとを備えたＬＥＤ照明器具であって、
上記の少なくとも一つの発光モジュールから放射される混合色光を検出する器具光センサーを有し、
上記レンズユニットは、上記レンズから上記の混合色光を上記器具光センサーへガイドするための光ガイドを一体に備え、
上記器具光センサーは、検出された混合色から上記の複数種のＬＥＤの発光色に対応する特定色光の光レベルを取り出すように構成され、
上記光出力コントローラは、上記器具光センサーからの特定色光の光出力レベルに基づいて、上記の少なくとも一つの発光モジュールからの混合色が所望の色度となるように、各ＬＥＤへの電流をフィードバック制御するように構成され、
上記の器具光センサーは、器具本体と別体に形成された制御ユニット内に収容され、
上記の少なくとも一つの発光モジュールが回路基板上に実装され、上記回路基板が器具本体の前面に支持され、上記光ガイドは上記回路基板を通して上記の器具本体の背面側に延出し、この光ガイドと上記の器具光センサーとが光ファイバーによって結合されたことを特徴とするＬＥＤ照明器具。
【請求項４】
発光色の異なる複数種の発光ダイオード（ＬＥＤ）を備え、これらのＬＥＤからの混合色光を放射する少なくとも一つの発光モジュールと、
上記の少なくとも一つの発光モジュールからの光を配光させるレンズを備えたレンズユニットと、
上記の少なくとも一つの発光モジュールの各ＬＥＤに流す電流を制御する光出力コントローラとを備えたＬＥＤ照明器具であって、
上記の少なくとも一つの発光モジュールから放射される混合色光を検出する器具光センサーを有し、
上記レンズユニットは、上記レンズから上記の混合色光を上記器具光センサーへガイドするための光ガイドを一体に備え、
上記器具光センサーは、検出された混合色から上記の複数種のＬＥＤの発光色に対応する特定色光の光レベルを取り出すように構成され、
上記光出力コントローラは、上記器具光センサーからの特定色光の光出力レベルに基づいて、上記の少なくとも一つの発光モジュールからの混合色が所望の色度となるように、各ＬＥＤへの電流をフィードバック制御するように構成され、
上記のレンズユニットに反射体が形成され、レンズ前面から入射する外光を反射して、上記光ガイドから上記器具光センサーに至る経路に外光が入射することを防止したことを特徴とするＬＥＤ照明器具。
【請求項５】
上記の反射体は、レンズユニット内に形成した空洞の一面に形成されたことを特徴とする請求項４に記載のＬＥＤ照明器具。
【請求項６】
上記の反射体は、レンズユニット内に形成されて、レンズから伝達される光を上記の器具光センサー側に反射することを特徴とする請求項４に記載のＬＥＤ照明器具。
【請求項７】
発光色の異なる複数種の発光ダイオード（ＬＥＤ）を備え、これらのＬＥＤからの混合色光を放射する少なくとも一つの発光モジュールと、
上記の少なくとも一つの発光モジュールからの光を配光させるレンズを備えたレンズユニットと、
上記の少なくとも一つの発光モジュールの各ＬＥＤに流す電流を制御する光出力コントローラとを備えたＬＥＤ照明器具であって、
上記の少なくとも一つの発光モジュールから放射される混合色光を検出する器具光センサーを有し、
上記レンズユニットは、上記レンズから上記の混合色光を上記器具光センサーへガイドするための光ガイドを一体に備え、
上記器具光センサーは、検出された混合色から上記の複数種のＬＥＤの発光色に対応する特定色光の光レベルを取り出すように構成され、
上記光出力コントローラは、上記器具光センサーからの特定色光の光出力レベルに基づいて、上記の少なくとも一つの発光モジュールからの混合色が所望の色度となるように、各ＬＥＤへの電流をフィードバック制御するように構成され、
周囲の光を検出する周囲光センサーが設けられ、この周囲光センサーは周囲の光から上記の複数種のＬＥＤの発光色に対応する特定色光の光レベルを取り出してこれを上記の光コントローラへ出力し、
上記の光出力コントローラは、上記の周囲光センサーからの特定色の光レベルの比率に一致させるように、上記の少なくとも一つの発光モジュールにおける上記の各ＬＥＤへの電流を制御することを特徴とするＬＥＤ照明器具。
【発明の詳細な説明】
【技術分野】
【０００１】
本発明は、発光色の異なる複数種の発光ダイオード（ＬＥＤ）を使用して所望の色度の光を放射するＬＥＤ照明器具に関するものである。
【背景技術】
【０００２】
国際特許公開ＷＯ００３７９０４号公報は従来のＬＥＤ照明器具を開示している。このＬＥＤ照明器具は、発光色の異なる複数種のＬＥＤ（例えば、赤色ＬＥＤ、緑色ＬＥＤ、青色ＬＥＤ）を実装した回路基板と、この回路基板を保持する器具本体と、ＬＥＤの表面をカバーする光学部材とを備えている。この照明器具では、所望の色度の光（例えば、白色光）を与えるために、全てのＬＥＤの光出力を検出する単一のフォトダイオードと、各ＬＥＤの光出力が予め設定された目標値に保たれるように各ＬＥＤへの順方向電流の通電量をフィードバック制御するコントローラとを備えている。この照明器具においては、各ＬＥＤから放射された光を光ファイバーに通してフォトダイオードへ伝達させているため、全てのＬＥＤの光を安定的に検出することが難しい問題がある。更に、制御部は、赤色ＬＥＤ、緑色ＬＥＤ、青色ＬＥＤを個別に短い時間間隔で点灯させて、赤色、緑色、青色毎に光出力レベルを検出しているため、実際の照明光である各色のＬＥＤの混合色に基づいて、混合色を調整することが難しいという問題がある。
【発明の開示】
【０００３】
本発明は上記の問題点に鑑みて為されたものであり、その目的は、器具全体から放射される混色光の色度を所望の色度に精度良く調整することができるＬＥＤ照明器具を提供することにある。本発明に係るＬＥＤ照明器具は、発光色の異なる複数種の発光ダイオード（ＬＥＤ）を備えてこれらのＬＥＤからの混合色光を放射する少なくとも一つの発光モジュールと、発光モジュールからの光を拡散させるレンズを備えたレンズユニットと、上記の発光モジュールの各ＬＥＤに流す電流を制御する光出力コントローラと、上記の発光モジュールから放射される混合色光を検出する器具光センサーを備える。上記器具光センサーは、検出された混合色から上記の複数種のＬＥＤの発光色に対応する特定色光の光レベルを取り出すように構成され、上記光出力コントローラは、上記器具光センサーからの特定色光の光出力レベルに基づいて、上記の発光モジュールからの混合色が所望の色度となるように、各ＬＥＤへの電流をフィードバック制御するように構成される。本発明の特徴とするところは、上記レンズユニットに、上記レンズから上記の混合色光を上記器具光センサーへガイドするための光ガイドが一体に形成されたことである。このため、全てのＬＥＤの発光によって得られる混合色光を器具光センサーに効率よく導くことが出来、混合色の色度を精度良く調整出来ることが出来る。
【０００４】
本発明の照明器具には、所望の色度を規定する特定色光である例えば、赤色光、緑色光、青色光についてそれぞれの光出力レベルの基準値を記憶する記憶部が設けられ、上記光出力コントローラはこの記憶部に記憶された基準値に基づいて、上記のLEDへの電流を制御する。このため、記憶部での各色の出力レベルの基準値を調整することで、異なる色度の照明器具を実現することが出来る。
【０００５】
上記の器具光センサーは、上記の各特定色光を選択的に透過させる複数の色フィルターと、各色フィルターを通過する特定色の光レベルを検出する複数のレベルセンサーとで構成されることが好ましい。このため、発光モジュールにおける複数種のＬＥＤそれぞれの発光色を同時かつ各別に検出することができる。
【０００６】
これに代えて、器具光センサーは、上記の少なくとも一つの発光モジュールからの混合色光を上記の特定色光に分光する分光素子と、分光された各特定色の光レベルを検出するレベルセンサーとで構成することも可能である。
【０００７】
上記のレンズユニットに、上記器具光センサーに近接する集光部が一体に形成されることが好ましい。この場合、上記の光ガイドは上記のレンズから上記の集光部に向けて断面積を小さくして、器具光センサーへ効率的に混合色を伝達することができる。
【０００８】
本発明の照明器具は複数の発光モジュールを備えることが好ましい。この場合、複数の発光モジュールがそれぞれ対応するレンズと上記の器具光センサーとの間の距離が異なる位置に配置され、各レンズから器具光センサーに至る光路長が長い光ガイドの断面積が、光路長の短い光ガイドよりも大きくされる。このため、光路長の大小に拘わらず、複数の発光モジュールから一様な光量の光を器具光センサーに入射させることが出来、器具全体の光に基づいて発光色を所望の色度に制御することができる。
【０００９】
上記の器具光センサーは、器具本体に支持された回路基板上に、上記の発光モジュールと共に実装されることができる。この場合は、レンズユニットから器具光センサーまでの光ガイドの距離が短くて済み、レンズユニットを簡単な形状とすることができる。
【００１０】
また、上記の器具光センサーを器具本体の背面側に配置することも可能である。この場合、光ガイドは器具本体の前面側から発光モジュールを実装する回路基板を通して器具本体の背面側に延出するように構成されて、器具光センターに結合する。
【００１１】
更に、上記の器具光センサーは、器具本体と別体に形成された制御ユニット内に収容することも可能である。この場合、上記光ガイドは上記回路基板を通して上記の器具本体の背面側に延出し、この光ガイドと上記の器具光センサーとが光ファイバーによって結合される。この構成により、器具本体と別体となる制御ユニットへ発光モジュールからの混合色光を上手く伝達することができ、照明器具設計の自由度を高めることが出来る。
【００１２】
また、上記のレンズユニットに反射体を形成することも好ましい。この反射体は、レンズ前面から入射する外光を反射して、上記光ガイドから上記の器具光センサーに至る経路に外光が入射することを防止するものであり、周囲の光の影響を無くして、発光モジュールからの混合色光のみを器具光センサーにて検出することができて、正確な色度調節が行える。
【００１３】
上記の反射体は、レンズユニット内に形成した空洞の一面に形成することができる。また、この反射体は、レンズユニット内に形成されて、レンズから伝達される光を上記の器具光センサー側に反射するように形成することで、発光モジュールからの混合色を効率よく器具光センサーに集めることが出来る。
【００１４】
更に、本発明のＬＥＤ照明器具は、周囲光の色度に合致する光を照射するように構成することもできる。この場合、周囲の光を検出する周囲光センサーが設けられ、この周囲光センサーは周囲の光から上記の複数種のＬＥＤの発光色に対応する特定色光の光レベルを取り出してこれを上記の光コントローラへ出力する。上記の光出力コントローラは、上記の周囲光センサーからの特定色の光レベルの比率に一致させるように、上記の少なくとも一つの発光モジュールの各LEDへの電流を制御する。このような構成を採用することで、併用する他の照明器具の色度に一致した光を出すことができ、複数のＬＥＤ照明器具を用いて、広い範囲に亘って同一色度の照明効果を与えることが可能となる。
【図面の簡単な説明】
【００１５】
【図１】本発明の第１の実施形態に係るＬＥＤ照明器具の下面図。
【図２】同上の照明器具の一部切り欠き正面図。
【図３】同上の照明器具の断面図。
【図４】同上の照明器具に使用する発光モジュールを示す断面図。
【図５】同上の照明器具の器具本体を示す斜視図。
【図６】同上の照明器具に使用するレンズユニットを示す下面図。
【図７】同上のレンズユニットの断面図。
【図８】同上の照明器具に使用する化粧リングの斜視図。
【図９】同上の照明器具の回路構成を示すブロック図。
【図１０】同上の照明器具の一使用形態を示す概略図。
【図１１】同上の照明器具の第1の変更態様を示す断面図。
【図１２】同上の照明器具の第2の変更態様を示す断面図。
【図１３】同上の照明器具の第3の変更態様を示す断面図。
【図１４】同上の照明器具の第４の変更態様を示す断面図。
【図１５】同上の照明器具の第５の変更態様を示す断面図。
【図１６】図１４の照明器具に使用する色フィルターを示す概略図。
【図１７】本発明の第2の実施形態に係るＬＥＤ照明器具を示す断面図。
【図１８】同上の照明器具の第1の変更態様を示す断面図。
【発明を実施するための最良の形態】
【００１６】
本発明の第１の実施形態に係るＬＥＤ照明器具を、図１〜１０に基づいて説明する。本実施形態のＬＥＤ照明器具は、シーリングライトとして構成されるものであり、図２に示すように、天井１００に取り付けられる円盤状の器具本体１０と、器具本体１０の前面に配置される複数の発光モジュール２０と、発光モジュール２０を器具本体１０の前面でカバーするレンズユニット４０とを備える。器具本体１０の前面には、図５に示すように、円形の凹所１２が形成され、この中に発光モジュール２０及びレンズユニット４０が収められる。凹所１２の外周には、レンズユニット４０を囲む化粧リング５０が取り付けられ、器具本体１０を天井１００に固定するねじ１５を隠す。化粧リング５０は、図８に示すように、背面に突出するフック５２を、器具本体１０の穴１４に係合させて器具本体１０へ着脱自在に取り付けられる。【００１７】
各発光モジュール２０は、図４に示すように、基材２１の表面に複数の異なる発光色を与える発光ダイオード、即ち、赤色ＬＥＤ２２、緑色ＬＥＤ２３、青色ＬＥＤ２４を配置して、白色の混合光を与えることができるように構成される。各ＬＥＤはベアチップとして用意され、基材２１上の回路パターンにこれらのベアチップがワイヤボンディングで電気接続される。これらのＬＥＤとワイヤボンディングが透明な封止樹脂（例えば、シリコン樹脂やエポキシ樹脂）で封止されて、複数のＬＥＤを収めた発光部２５を形成する。尚、LEDはフリップチップ方式で基材２１に実装することも可能である。基材21の表面周囲には、各ＬＥＤへ回路パターンを介して電気接続される電極２６が形成され、基材２１の裏面には、熱伝導性が高い絶縁材料の有機グリーンシート２８が設けられる。この有機グリーンシート２８は、アルミニウムや銅のような熱伝導性の高い金属で成形される器具本体１０に固着され、ＬＥＤで発生する熱を器具本体１０に放熱する。
【００１８】
複数の発光モジュール２０は、器具本体１０の前面に形成した円形の凹所１２内に収める単一の回路基板３０に実装されて、器具本体１０の中心の周りに配列される。回路基板３０には複数の円形開口３４が形成され、各発光モジュール２０が発光部２５を各開口３４内に露出させる形で、発光モジュール２０の基材２１周縁の電極２６を回路基板３０の裏面に形成した回路パターンに電気接続させる。各発光モジュール２０の基材２１裏面の有機グリーンシート２８が器具本体１０に固着されることで、回路基板３０が器具本体１０に保持される。有機グリーンシート２８はシリカやアルミナなどのフィラーを高充填したエポキシ樹脂層のような熱伝導性が高く加熱時の流動性が高い可塑性シート材料で形成され、加熱して塑性変形させることにより器具本体１０に固着される。【００１９】
回路基板３０は電子部品が実装されて、各発光モジュール２０内の各ＬＥＤ２２、２３、２４への供給する電流を制御して発光モジュール２０から放射される光の色度を調整する光出力コンローラ６０の電子回路を形成している。光出力コントローラ６０は、器具本体１０の背面側に配置する電源ユニット１１０から配線３２を介して電源が供給される。更に、回路基板３０には、各発光モジュール２０から放射される光を検出する器具光センサー８０が実装される。【００２０】
レンズユニット４０は、図６及び図７に示すように、それぞれ各発光モジュール２０に対応する形で配置された複数のレンズ４２を一体に備えた形状に透明材料で成形され、回路基板３０の前面を覆う形で器具本体１０の前面へねじ１１で固定される。ねじ１１はレンズユニット４０の周縁の一部に形成したボス４１へ器具本体１０の裏面側から挿入される。レンズユニット４０の周縁には器具本体１０の円形凹所１２の周縁に合致する側壁４３が形成される。各レンズ４２はフレネルレンズとして設計され、対応する発光モジュール２０から放射される光を配光させる。各レンズ４２は、回路基板３０側に突出する膨出部４４を備え、膨出部４４の上端周縁を回路基板３０の円形開口３４の周縁に接触させて、各発光モジュール２０に各レンズを一致させる。各発光モジュール２０の発光部２５は膨出部４４の上端の凹所４５内に収められる。膨出部４４の外面形状は、凹所４５の側面から入射する光を内部反射させてレンズ４２の出射面に導くように設計されている。【００２１】
レンズユニット４０には各発光モジュール２０から放射される光の一部をレンズユニット４０の中央の集光部４６へ導くための光ガイド４７が形成され、集光部４６は集められた光を回路基板３０上の器具光センサー８０に向けて放射する凸レンズ形状とされる。集光部４６の外面には反射膜４８が形成され、周囲の光が器具光センサー８０に入射するのを防ぐ。レンズユニット４０は全体を透明材料、例えば、アクリル樹脂や、ポリカーボネート樹脂や、ガラスで成形されるか、或いは、透明材料と金属材料を併用して成形される。後者の場合、レンズ４２、光ガイド４７、集光部４６を透明材料で形成し、残りの部分を金属材料で形成することで、LEDの発光に伴う熱の放熱を促進することが出来る。【００２２】
器具光センサー８０は、赤色ＬＥＤ２２、緑色ＬＥＤ２３、青色ＬＥＤ２４からの放射される光を選択的に透過する３つの色フィルター（図示せず）と、可視光域の全域に亘る受光感度を有する複数のフォトダイオードであるレベルセンサー（図示せず）とで構成され、赤色、緑色、青色の光レベルを同時に検出して、各色で検出した光レベルを光出力コントローラ６０へ出力する。尚、一つのレベルセンサーのみを用い、時分割処理によって各色のレベルを所定間隔をおいて検出することも可能である。【００２３】
光出力コントローラ６０は、図９に示すように、記憶部６５と色信号作成部６６を備える。記憶部６５は赤色、緑色、青色それぞれの光出力レベルの基準値を保持し、色信号作成部６６はこれらの基準値に応じた強度の光が各ＬＥＤ２２、２３、２４から放射されるような電流指令値を各色について作成する。この電流指令値は駆動回路Ｒ６２、駆動回路Ｇ６３、駆動回路Ｂ６４に送られ、ここで決定された電流が各発光モジュール２０でのＬＥＤ２２、２３、２４に供給されて、各ＬＥＤを発光させる。記憶部６５に保持される基準値は、通常、各ＬＥＤからの混合色、即ち、各光出力モジュール２０から放射される光を白色光とするように設定される。【００２４】
器具光センサー８０で検出された各色の光レベルは色信号作成部６６に送られ、検出された各色の光レベルが記憶部６５で保持された基準値に一致するような電流指令値を作成するフィードバック制御が行われ、発光モジュールから放射される色の色度を、所定の値に維持する。【００２５】
本実施形態の照明器具では、図１や図６に示すように、複数のレンズ４２がレンズユニット４０の中心の集光部４６から異なる距離の位置に配置されて、各発光モジュール２０から器具光センサー８０までの光ガイド４７の光路長が異なっている。このような異なる光路長によって、器具光センサー８０に入射する光量にばらつきが生じるのを抑制するために、長い光路長を有する光ガイド４７は、短いものに比べて、断面積を大きくして、照明器具全体での光の色度の検出精度が向上される。【００２６】
本実施形態の照明器具は、発光モジュール２０から放射される光を検出する器具光センサー８０に加えて、周囲の光を検知する周囲光センサー９０が備えられ、周囲の光源からの光の色度に合致した光を発光モジュール２０から放射させる調和機能が付加される。周囲光センサー９０は、上の器具光センサー９０と同様に、赤色、緑色、青色の光のレベルを個別に検出するように構成され、器具本体１０の前面周縁部に配置される。この調和機能を行う場合、色信号作成部６６には、記憶部６５からの基準信号の代わりに、周囲光センサー９０で検出された各色の光レベルが入力され、この光レベルの比率に応じた比率の電流指令値を各色について作成し、この電流指令値に対応する電流を各ＬＥＤ２２、２３、２４に供給することで、各発光モジュール２０からの光を周囲光の色度に合致させる。図１０は上の調和機能を利用した照明システムの一例を示し、複数体のＬＥＤ照明器具Ｌを、基準となる一つの照明器具Ｘの周りに配置して、基準の照明器具から放出される光の色度に、周りのＬＥＤ照明器具Ｌからの光を調和させる照明システムを示す。【００２７】
尚、本実施形態では、２つの周囲光センサー９０を器具本体１０の外周部で互いに直径方向に対向する位置に設けており、２つの周囲光センサー９０で検出された各色の光レベルの平均値に基づいて、各ＬＥＤへ供給する電流をフィードバック制御しているが、周囲光センサー９０は一つでも、また３つ以上設けても良い。周囲光センサー９０を複数設ける場合は、一つ又はそれ以上の周囲光センサー９０の選択的に不能とさせるスイッチを照明器具に設けることが可能である。この場合は、必要な周囲光のみを検出して、不要な周囲光の影響を排除することが出来る。【００２８】
図１１は、上記の実施形態の第１変更態様を示すもので、レンズ４２から集光部４６に至る光ガイド４７の断面積、即ち厚みを集光部４６側に向けて次第に小さくすることで、集光部４６への光の伝達効率を高めている。【００２９】
図１２は、上記の実施形態の第２の変更態様を示し、器具光センサー８０に面するレンズユニット４０の背面に集光部４６の凸部を形成している。【００３０】
図１３は、上記の実施形態の第３の変更態様を示し、器具光センサー８０に対応するレンズユニット４０の中心部に反射体４８を埋設し、反射体４８から背面側の部分を器具光センサー８０に向けて突出させてこの部分を集光部４６としている。【００３１】
図１４は、上記の実施形態の第４の変更態様を示し、レンズユニット４０の前面の中心部に断面が三角形状の反射体４８を埋設して、外光が器具光センサー８０に入射するのを防止すると共に、光ガイド４７を通過する光を器具光センサー８０側に反射させて、器具光センサー８０への光の入射効率を高めている。
【００３２】
図１５と図１６は、上記の実施形態の第５の変更態様を示し、器具光センサー８０が、光ガイド４７を通して伝達される光Ｈを赤、緑、青の各色に分光する分光素子８１と、分光された各色の光レベルを検出するレベルセンサーである複数のフォトダイオード８２、８３、８４で構成される。この分光素子８１は、図１５に示すように、レンズユニット４０の集光部４６の背面に形成した回折格子で形成されているが、レンズユニット４０と別体として形成しても良い。【００３３】
図１７は、本発明の第２の実施形態に係るＬＥＤ照明器具を示し、器具光センサー８０を器具本体１０の背面に配置し、器具本体１０と別体に形成した制御ユニット７０内に収めた光出力コントローラ６０へ配線８８にて接続している。この場合、レンズユニット４０に形成した光ガイド４７は、レンズユニット４０の背面中央から、回路基板３０を貫通し器具本体１０の背面に向けて延出して、器具光センサー８０へ光結合する。器具光センサー８０は、器具本体１０の背面に突出する筒部１６内に配置した断熱スリーブ１８の一端に支持されて、器具本体１０からの熱影響を少なくしており、光ガイド４７の先端部がこの断熱スリーブ１８内に挿入されて器具光センサー８０へレンズ４２からの光を出力する。制御ユニット７０は、電源ユニットに結合されて各ＬＥＤへの電力を得る。その他の構成は、第１の実施形態と同様であるため、同一の要素については同一の符号で示す。【００３４】
図１８は、第２の実施形態の第１の変更態様を示し、器具本体１０と別体の制御ユニット７０内に、光出力コントローラ６０と共に器具光センサー８０を配置し、レンズユニット４０の背面中央から延出する光ガイド４７と器具光センサー８０とを光ファイバー７２を介して光結合している。光ガイド４７の一端は、器具本体１０の背面に突出する筒部１６内に配置した断熱スリーブ１８内に挿入され、ここで光ファイバー７２の一端と接続され、光ファイバー７２の他端は制御ユニット７０内で器具光センサー８０に結合される。この変更態様においては、レンズユニット４０の中央に空洞４５が形成され、空洞４５の壁面に反射膜４８が形成されており、空洞４５の背面側に延出する光ガイド４７へ、レンズユニット４０の前面側からの光が入射することを防止している。
【００３５】
上述した実施形態並びにその変更態様において示す個々の特徴は、他の実施形態や変更態様の特徴に置換されるか、或いは追加できるものであり、そのような構成もまた本発明の範疇である。【００３６】
また、上述の実施形態では、各発光モジュールを、赤色ＬＥＤ２２と緑色ＬＥＤ２３と青色ＬＥＤ２４とで構成した例を示しているが、本発明は必ずしもこれのみに限定されるものではなく、その他の特定色を発光するLEDを含む全ての利用可能なLEDを組み合わせて、所望の混合色を得ることが出来る。
【図１】
0004720904.tif 000002
【図２】
0004720904.tif 000003
【図３】
0004720904.tif 000004
【図４】
0004720904.tif 000005
【図５】
0004720904.tif 000006
【図６】
0004720904.tif 000007
【図７】
0004720904.tif 000008
【図８】
0004720904.tif 000009
【図９】
0004720904.tif 000010
【図１０】
0004720904.tif 000011
【図１１】
0004720904.tif 000012
【図１２】
0004720904.tif 000013
【図１３】
0004720904.tif 000014
【図１４】
0004720904.tif 000015
【図１５】
0004720904.tif 000016
【図１６】
0004720904.tif 000017
【図１７】
0004720904.tif 000018
【図１８】
0004720904.tif 000019